(57)【特許請求の範囲】
【請求項１】
表示面を照明する光源として発光ダイオードを用いたバックライトを複数の領域に分割し、分割した領域ごとに前記発光ダイオードの出力を制御することによって、前記表示面に表示させる画像の輝度を補正可能な表示装置であって、
前記画像を構成する複数のブロックの各々について、当該ブロックの量子化の粗さを示す量子化コードであって、当該ブロックを構成する各画素のビット数に関するパラメータである量子化コードを、映像ストリームから該量子化コードを復号することによって取得する取得手段と、
前記取得手段によって取得された各量子化コードと所定の閾値とを比較することにより、前記画像の輝度を補正する補正係数を設定する設定手段と、
前記設定手段によって設定された補正係数を用いて、前記画像をＨＤＲ補正表示する表示手段とを備え、
前記設定手段は、前記画像のすべてのピクセルの数に対する前記所定の閾値を上回った量子化コードを持つピクセルの数の割合が大きいほど、前記補正係数が小さくなるように、当該補正係数を設定することを特徴とする表示装置。
【請求項２】
前記表示手段は、前記設定手段によって設定された補正係数を、前記画像の輝度に乗じることによって補正後の輝度を算出し、当該画像を表示することを特徴とする請求項１に記載の表示装置。
【請求項３】
前記設定手段は、前記割合に対する前記補正係数の関数による当該割合と当該補正係数との対応付けにしたがって、前記割合が大きいほど前記補正係数が小さくなるように、当該補正係数を設定することを特徴とする請求項１または２に記載の表示装置。
【請求項４】
請求項１から３のいずれか１項に記載の表示装置を備えたことを特徴とするテレビジョン受像機。
【請求項５】
表示面を照明する光源として発光ダイオードを用いたバックライトを複数の領域に分割し、分割した領域ごとに前記発光ダイオードの出力を制御することによって、前記表示面に表示させる画像の輝度を補正可能な表示装置の制御方法であって、
前記画像を構成する複数のブロックの各々について、当該ブロックの量子化の粗さを示す量子化コードであって、当該ブロックを構成する各画素のビット数に関するパラメータである量子化コードを、映像ストリームから該量子化コードを復号することによって取得する取得ステップと、
前記取得ステップにおいて取得した各量子化コードと所定の閾値とを比較することにより、前記画像の輝度を補正する補正係数を設定する設定ステップと、
前記設定ステップにおいて設定した補正係数を用いて、前記画像をＨＤＲ補正表示する表示ステップとを含み、
前記設定ステップでは、前記画像のすべてのピクセルの数に対する前記所定の閾値を上回った量子化コードを持つピクセルの数の割合が大きいほど、前記補正係数が小さくなるように、当該補正係数を設定することを特徴とする表示装置の制御方法。
【請求項６】
請求項１から３のいずれか１項に記載の表示装置を動作させるための制御プログラムであって、コンピュータを前記各手段として機能させるための制御プログラム。
【請求項７】
請求項６に記載の制御プログラムを記録したコンピュータ読み取り可能な記録媒体。
【発明の詳細な説明】
【技術分野】
【０００１】
本発明は、ローカルデミング制御によって、表示面に表示させる画像の輝度を補正可能な表示装置等に関するものである。
【背景技術】
【０００２】
表示面を照明する光源として、発光ダイオード（以下「Light Emitting Diode」の頭文字をとって、単に「ＬＥＤ」と称する）を用いたバックライト（ＬＥＤバックライト）を備えた表示装置が、広く普及している。当該表示装置は、ローカルデミング制御を行うことができるという利点を有するからである。
【０００３】
図４に基づいて、従来のローカルデミング制御を説明する。図４は、従来のローカルデミング制御の一例を示し、（ａ）はバックライトを分割する一例を示した模式図であり、（ｂ）は領域Ａ〜Ｈに対応するＬＥＤの輝度値を示す棒グラフである。
【０００４】
図４（ａ）に示すように、ローカルデミング制御は、バックライトを複数の領域に分割し、それぞれの領域に対応する映像信号の最大階調値に応じて、当該領域ごとにＬＥＤの発光を制御する（ハイダイナミックレンジ（High Dynamic Range；ＨＤＲ）合成を行う）技術である。図４（ａ）に示す例では、表示装置はバックライトを８つの領域Ａ〜Ｈに分割している（数値は各領域における最大階調値を示す）。
【０００５】
すなわち、上記ローカルデミング制御が可能な表示装置は、画面内の暗い領域ではＬＥＤの発光を抑え、画面内の明るい領域ではＬＥＤの発光を強めるなど、分割したそれぞれの領域に応じてＨＤＲを行うことができる。これにより、当該表示装置は、バックライトの消費電力を低減するとともに、表示画面のコントラストを向上させることができる。
【０００６】
例えば、図４（ｂ）に示すように、信号の最大階調値が低い領域（例えば、領域Ａや領域Ｄ）では画像が暗いため、表示装置はＬＥＤの輝度を低下させる。逆に、信号の最大階調値が高い領域（例えば、領域Ｂや領域Ｅ）では画像が明るいため、表示装置はＬＥＤの輝度を高くする。
【０００７】
一方で、コントラストを調整する際に画像のノイズを低減する技術が開発されている。例えば、下記の特許文献１には、表示画像のノイズ量を計測するとともに、その計測したノイズ量から表示画像のノイズ量を一定に保つ調整方法が記載されている。
【先行技術文献】
【特許文献】
【０００８】
【特許文献１】特開２００９−１８１８６３号公報（２００９年８月１３日公開）
【発明の概要】
【発明が解決しようとする課題】
【０００９】
従来のローカルデミング制御は、各領域における符号化の強度（量子化の粗さ）を考慮していないため、ＨＤＲを適用した後の画像においてノイズが目立って表示される場合がある。すなわち、符号化の強度が高い（画像の圧縮率が大きい）ほど、当該画像に含まれるノイズが大きくなる傾向があるところ、コントラストを向上させるために当該画像の輝度を高くすると、ノイズまで強調されて表示されるという問題がある。
【００１０】
ここで、上記の特許文献１に記載の調整方法は、表示面に表示する画像から当該画像に含まれるノイズの量を算出し、その算出結果からコントラストとブライトネスとを調整することで、当該ノイズ量を一定にする。すなわち、上記調整方法は、ノイズが変動することよる画像のふらつきを抑える技術に過ぎないため、上記問題を解決できない。
【００１１】
また、上記調整方法は、ノイズを除去するためのフィルタによってノイズが除去される前後の差分から、画像に含まれるノイズの量を算出しているため、ノイズ以外の部分もノイズと算出され、算出の誤差が大きくなるおそれがあるという新たな問題も発生する。
【００１２】
本発明は、上記の問題点に鑑みてなされたものであり、その目的は、符号化の強度を考慮してローカルデミング制御を行うことにより、ノイズの発現を抑制しながら画像のコントラストを向上させることが可能な表示装置等を提供することである。
【課題を解決するための手段】
【００１３】
上記の課題を解決するために、本発明の表示装置は、
（１）表示面を照明する光源として発光ダイオードを用いたバックライトを複数の領域に分割し、分割した領域ごとに前記発光ダイオードの出力を制御することによって、前記表示面に表示させる画像の輝度を補正可能な表示装置であって、
（２）前記画像を構成する複数のブロックの各々に割り付けられた量子化コードを取得する取得手段と、
（３）前記取得手段によって取得された各量子化コードと所定の閾値とを比較することにより、前記画像の輝度を補正する補正係数を設定する設定手段と、
（４）前記設定手段によって設定された補正係数を用いて、前記画像をＨＤＲ補正表示する表示手段とを備えたことを特徴とする。
【００１４】
また、上記の課題を解決するために、本発明の表示装置の制御方法は、
（１）表示面を照明する光源として発光ダイオードを用いたバックライトを複数の領域に分割し、分割した領域ごとに前記発光ダイオードの出力を制御することによって、前記表示面に表示させる画像の輝度を補正可能な表示装置の制御方法であって、
（２）前記画像を構成する複数のブロックの各々に割り付けられた量子化コードを取得する取得ステップと、
（３）前記取得ステップにおいて取得された各量子化コードと所定の閾値とを比較することにより、前記画像の輝度を補正する補正係数を設定する設定ステップと、
（４）前記設定ステップにおいて設定された補正係数を用いて、前記画像をＨＤＲ補正表示する表示ステップとを含むことを特徴とする。
【００１５】
上記の構成によれば、本発明の表示装置および当該装置の制御方法は、画像を構成する複数のブロックの各々に割り付けられた量子化コードを取得する。そして、上記表示装置等は、取得した各量子化コードと所定の閾値とを比較することにより、画像の輝度を補正する補正係数を設定し、当該補正係数を用いて画像をＨＤＲ補正表示する。
【００１６】
上記量子化コードは符号化の強度を示すパラメータである。量子化コードの値が大きいほど符号化の強度が高いため、当該画像に含まれるノイズが大きくなる傾向がある。すなわち、本発明の表示装置および当該装置の制御方法は、量子化コードを取得することにより画像に含まれるノイズの量を推定する。
【００１７】
ここで、上記表示装置等は、上記の特許文献１に記載の従来方法と異なり、ノイズが除去される前後の差分からノイズの量を算出しないため、実際のノイズの量と推定したノイズの量との誤差を小さくできる。
【００１８】
また、上記補正係数は、上記のように計算したノイズの量にしたがって設定できる。例えば、当該ノイズの量が大きいほどＨＤＲの効果が小さくなるように補正係数を設定し、当該ノイズの量が小さいほどＨＤＲの効果が大きくなるように補正係数を設定できる。
【００１９】
したがって、本発明の表示装置および当該装置の制御方法は、ノイズの発現を抑制しながら画像のコントラストを向上させることができる。
【００２０】
また、本発明の表示装置では、
（１）前記設定手段は、前記画像のすべてのピクセルの数に対する前記所定の閾値を上回った量子化コードを持つピクセルの数の割合に応じて、前記補正係数を設定することを特徴とする。
【００２１】
上記の構成によれば、上記表示装置は、画像の全ピクセル数に対する、閾値を上回った量子化コードを持つピクセル数の割合に応じて、補正係数を設定する。例えば、上記表示装置は、上記割合と補正係数とが反比例するように、当該補正係数を設定する。
【００２２】
これにより、本発明の表示装置は、例えばノイズ量が大きいほどＨＤＲの効果が小さくなるように補正係数を設定し、ノイズ量が小さいほどＨＤＲの効果が大きくなるように補正係数を設定できる。したがって、上記表示装置は、ノイズの発現を抑制しながら画像のコントラストを向上させることができる。
【００２３】
また、本発明の表示装置では、
（１）前記表示手段は、前記設定手段によって設定された補正係数を、前記画像の輝度に乗じることによって前記補正後の輝度を算出し、当該画像を表示することを特徴とする。
【００２４】
上記の構成によれば、上記表示装置は、補正係数を画像の輝度に乗じることによって補正後の輝度を算出し、当該画像を表示する。
【００２５】
したがって、本発明の表示装置は、例えば上記割合と補正係数とが反比例するように当該補正係数が設定されていた場合、画像のノイズ量が大きいほどＨＤＲの効果を小さくし、ノイズ量が小さいほどＨＤＲの効果を大きくすることができる。
【００２６】
また、本発明のテレビジョン受像機は、
（１）上記表示装置を備えたことを特徴とする。
【００２７】
したがって、上記テレビジョン受像機は、テレビジョン番組の映像において、ノイズの発現を抑制しながら画像のコントラストを向上させることができる。
【００２８】
なお、上記表示装置はコンピュータによって実現してもよい。この場合には、コンピュータを上記表示装置の各手段として動作させることにより、上記表示装置をコンピュータで実現させる制御プログラム、およびこれを記録したコンピュータ読み取り可能な記録媒体も本発明の範疇に入る。
【発明の効果】
【００２９】
以上のように、本発明の表示装置は、前記画像を構成する複数のブロックの各々に割り付けられた量子化コードを取得する取得手段と、前記取得手段によって取得された各量子化コードと所定の閾値とを比較することにより、前記画像の輝度を補正する補正係数を設定する設定手段と、前記設定手段によって設定された補正係数を用いて、前記画像をＨＤＲ補正表示する表示手段とを備えた構成である。
【００３０】
本発明の表示装置の制御方法は、前記画像を構成する複数のブロックの各々に割り付けられた量子化コードを取得する取得ステップと、前記取得ステップにおいて取得された各量子化コードと所定の閾値とを比較することにより、前記画像の輝度を補正する補正係数を設定する設定ステップと、前記設定ステップにおいて設定された補正係数を用いて、前記画像をＨＤＲ補正表示する表示ステップとを含む構成である。
【００３１】
したがって、本発明の表示装置および当該装置の制御方法は、ノイズの発現を抑制しながら画像のコントラストを向上させることができるという効果を奏する。
【図面の簡単な説明】
【００３２】
【図１】本発明の一実施の形態に係るテレビジョン受像機の要部構成を示すブロック図である。
【図２】上記テレビジョン受像機の基本的な動作を示した表およびグラフであり、（ａ）は、画像のすべてのピクセルの数に対する、上記閾値を上回った量子化コードを持つピクセルの数の割合と、補正係数の対応を示す表であり、（ｂ）は、当該割合が１８％の場合に、量子化コードの分布の一例を表すグラフであり、（ｃ）は、当該割合が７０％の場合に、量子化コードの分布の一例を表すグラフである。
【図３】上記テレビジョン受像機が実行する処理の一例を示すフローチャートである。
【図４】従来のローカルデミング制御の一例を示し、（ａ）はバックライトを分割する一例を示した模式図であり、（ｂ）は領域Ａ〜Ｈに対応するＬＥＤの輝度値を示す棒グラフである。
【発明を実施するための形態】
【００３３】
図１〜図３に基づいて、本発明の実施の形態を詳細に説明する。
【００３４】
〔テレビジョン受像機１００の概要〕
図１に基づいて、テレビジョン受像機１００の概略を説明する。図１は、テレビジョン受像機１００の要部構成を示すブロック図である。
【００３５】
テレビジョン受像機（表示装置）１００は、表示面３２を照明する光源として発光ダイオード（ＬＥＤ）を用いたバックライト３１を複数の領域に分割し、分割した領域ごとにＬＥＤの出力を制御することによって、表示面３２に表示させる画像の輝度を補正可能な表示装置である。すなわち、テレビジョン受像機１００は、ローカルデミング制御が可能な表示装置である。
【００３６】
ただし、テレビジョン受像機１００は、以下の点で従来のローカルデミング制御とは異なる。すなわち、テレビジョン受像機１００は、（１）画像を構成する複数のブロックの各々に割り付けられた量子化コード１を取得する。そして、（２）各量子化コードと所定の閾値とを比較することにより、前記画像の輝度を補正する補正係数２を設定し、（３）当該補正係数を用いて当該画像をＨＤＲ補正表示する。
【００３７】
ここで、上記画像は、所定の方式にしたがって符号化されている。例えば、画像は複数のブロックに分割され、分割されたブロックごとに符号化されている。
【００３８】
また、量子化コード１は上記符号化の強度（量子化の粗さ）を示すパラメータである。量子化コード１は、例えばブロックごとに決定され、各ブロックに含まれる各ピクセルに割り付けられる。量子化コード１の値が大きいほど符号化の強度が高い（画像の圧縮率が大きい）ため、当該画像に含まれるノイズが大きくなる（画質が劣化する）傾向がある。言い換えれば、量子化コード１とノイズの量とには相関があるため、テレビジョン受像機１００は、量子化コード１を取得することによってノイズの量を推定できる。
【００３９】
なお、テレビジョン受像機１００は、静止画だけでなく、例えばＭＰＥＧ−２（Moving Picture Experts Group phase 2）などの符号化規格にしたがって符号化された映像も表示可能である。すなわち、テレビジョン受像機１００が映像を表示する場合、上記「画像」は、映像を構成する各フレームを表すことに注意する。
【００４０】
図２に基づいて、テレビジョン受像機１００の基本的な動作を説明する。図２は、テレビジョン受像機１００の基本的な動作を示した表およびグラフである。図２（ａ）は、画像のすべてのピクセルの数に対する、上記閾値を上回った量子化コード１を持つピクセルの数の割合と、補正係数２の対応を示す表である。また、図２（ｂ）は、上記割合が１８％の場合に、量子化コード１の分布の一例を表すグラフであり、図２（ｃ）は、上記割合が７０％の場合に、量子化コード１の分布の一例を表すグラフである。
【００４１】
図２（ａ）に示すように、テレビジョン受像機１００は、画像のすべてのピクセルの数に対する、上記閾値を上回った量子化コード１を持つピクセルの数の割合と、補正係数２とを対応づけている。上記割合が大きいほど（量子化コード１が全体的に大きいほど）、補正係数２は小さくなる（上記割合と補正係数２とが反比例する）ことに注意する。
【００４２】
図２（ａ）に示すように、本実施の形態では、上記割合を２０％刻みで区切り、区切られた各区間に含まれる割合と補正係数２とを対応付けている。しかし、上記対応付けは一例であって、これに限定されない。例えば、上記割合を５％刻みで区切り、区切られた各区間に含まれる割合と補正係数２とを対応付けてもよいし、上記割合に対する補正係数２の関数によって両者を対応付けてもよい。
【００４３】
図２（ｂ）に示すように、例えば上記割合が０％以上〜２０％未満である場合、テレビジョン受像機１００は補正係数２を１．８と設定する（図２（ａ）の２列目「０〜２０未満」の列を参照）。
【００４４】
図２（ｃ）に示すように、例えば上記割合が６０％以上〜８０％未満である場合、テレビジョン受像機１００は補正係数２を１．２と設定する（図２（ａ）の２列目「６０〜８０未満」の列を参照）。
【００４５】
そして、テレビジョン受像機１００は、設定した補正係数２を用いてローカルデミング制御を行う。すなわち、テレビジョン受像機１００は、補正係数２を画像の輝度に乗じることによって分割した領域ごとに補正後の輝度を算出し、当該画像を表示する。したがって、画像に含まれるノイズが大きいほど（量子化コード１が全体的に大きいほど）、補正係数２にしたがう補正を伴ったＨＤＲの効果は小さくなる。
【００４６】
すなわち、テレビジョン受像機１００は、画像にノイズが多く含まれる場合はＨＤＲの効果を抑制できるため、ノイズが目立って表示される問題を回避できる。
【００４７】
〔テレビジョン受像機１００の構成〕
図１に基づいて、テレビジョン受像機１００の構成を説明する。なお、記載の簡潔性を担保する観点から、本実施の形態に直接関係のない部分は構成の説明およびブロック図から省略した。ただし、実施の実情に則して、テレビジョン受像機１００は当該省略した構成を含んでもよい。
【００４８】
以下、復号部２０、制御部１０（量子化コード取得部１１、補正係数設定部１２、表示制御部１３）、表示部３０（バックライト３１、表示面３２）の順序で各構成が担う機能を説明する。
【００４９】
復号部２０は、入力された映像ストリーム４を復号し、復号後の映像ストリーム４に含まれる映像信号５およびデコード情報３を、表示制御部１３および量子化コード取得部１１にそれぞれ出力する。
【００５０】
なお、映像ストリーム４は、ＭＰＥＧ−２などに代表される符号化規格にしたがって符号化された映像データであり、例えば放送局から受信した放送信号から分離することによって、あるいは外部機器（例えばＤＶＤプレイヤーなど）から信号が入力されることによって取得できる。また、デコード情報３は、映像ストリーム４を復号することによって得られる情報であり、量子化コード１を少なくとも含む。
【００５１】
制御部１０は、テレビジョン受像機１００の各種機能を統括的に制御するものである。なお、制御部１０の各機能は、例えばＲＡＭ（Random Access Memory）やフラッシュメモリなどの記憶素子に記憶されたプログラムを、ＣＰＵ（Central Processing Unit）が実行することによって実現されてもよい。制御部１０は、量子化コード取得部１１、補正係数設定部１２、および表示制御部１３を含む。
【００５２】
量子化コード取得部（取得手段）１１は、画像を構成する複数のブロックの各々に割り付けられた量子化コード１を取得する。具体的には、量子化コード取得部１１は復号部２０から入力されたデコード情報３から量子化コード１を抽出し、これを補正係数設定部１２に出力する。
【００５３】
補正係数設定部（設定手段）１２は、量子化コード取得部１１によって取得された各量子化コードと所定の閾値とを比較することにより、画像の輝度を補正する補正係数２を設定する。
【００５４】
具体的には、補正係数設定部１２は、量子化コード取得部１１から量子化コード１が入力されると、画像のすべてのピクセルの数に対する、所定の閾値を上回った量子化コード１を持つピクセルの数の割合に応じて、補正係数２を設定する（図２（ａ）参照）。補正係数設定部１２は、設定した補正係数２を表示制御部１３に出力する。
【００５５】
表示制御部（表示手段）１３は、補正係数２を用いて、画像をＨＤＲ補正表示する。具体的には、表示制御部１３は、復号部２０から入力された映像信号５を所定の領域に分割し、分割した領域ごとに映像信号５の最大階調値を抽出する。ただし、表示制御部１３は最大階調値に代えて、例えば分割した領域内の映像信号５の階調平均値などの他の統計量を抽出してもよい。
【００５６】
次に、表示制御部１３は、抽出した最大階調値のデータに対して電力リミット制御を行い、バックライト３１の各ＬＥＤの点灯を制御する制御情報６を生成する。そして、表示制御部１３は、制御情報６および表示用データ７を、表示部３０に出力する。なお、表示用データ７は、表示部３０で表示可能な形式にしたがう、上記画像を表すデータである。
【００５７】
表示部３０は、表示制御部１３から入力される制御情報６にしたがってバックライト３１の出力を調整し、表示用データ７を表示面３２に表示する装置である。本実施の形態では主に液晶ディスプレイ（Liquid Crystal Display；ＬＣＤ）を想定しているが、ローカルデミング制御が可能な表示機能を有する装置（特に、フラットパネルディスプレイ）でありさえすればハードウェアの種類は限定されない。
【００５８】
例えば、プラズマディスプレイ（Plasma Display Panel；ＰＤＰ）やＥＬ（Electroluminescence）ディスプレイなどの表示素子と、表示制御部１３から入力された制御情報６および表示用データ７に基づいて、当該表示素子を駆動するドライバ回路とを備える装置等で、表示部３０を構成できる。
【００５９】
バックライト３１は、表示面３２を照明する光源としてＬＥＤを用いた照明用の機器である。バックライト３１のＬＥＤの輝度は、ＰＷＭ（Pulse Width Modulation）制御、電流制御、またはこれらの組み合わせにより、制御情報６にしたがって制御される。
【００６０】
表示面３２は、画像を表示するパネルである。表示部３０が液晶ディスプレイで構成される場合、表示面３２は液晶パネルで構成される。
【００６１】
〔輝度を補正する処理〕
表示制御部１３が行う電力リミット制御は、各領域で点灯するＬＥＤの駆動電流の総量（ＬＥＤを点灯するための電力）がすべてのＬＥＤを点灯したときの駆動電流の総量を超えない範囲で、ＬＥＤの発光輝度を一定倍率で補正する制御をいう。すなわち、表示制御部１３は、領域ごとに定めたＬＥＤの発光輝度に補正係数２（一定倍率）を乗じて輝度を補正する。
【００６２】
前述したように、テレビジョン受像機１００は、画像に含まれるノイズの量が多いと推定するほど補正係数２を小さく設定するため、ノイズ量の多い領域に対してバックライト３１の輝度を小さくするように補正できる。したがって、テレビジョン受像機１００は、ノイズの発現を抑制しながらコントラストを向上させることができる。
【００６３】
〔テレビジョン受像機１００が実行する処理〕
図３に基づいて、テレビジョン受像機１００が実行する処理の流れを説明する。図３は、テレビジョン受像機１００が実行する処理の一例を示すフローチャートである。なお、以下の説明において、カッコ書きの「〜ステップ」は制御方法の各ステップを表す。
【００６４】
復号部２０が画像を復号する（ステップ１：Ｓ１のように略記する）。次に、量子化コード取得部１１が、当該画像の量子化コード１を取得し（Ｓ２、取得ステップ）、補正係数設定部１２が当該量子化コードにしたがって、補正係数２を設定する（Ｓ３、設定ステップ）。そして、表示制御部１３が補正後の輝度を算出し（Ｓ４）、算出した補正後の輝度によって画像を表示する（Ｓ５、補正係数２を用いて画像をＨＤＲ補正表示する、表示ステップ）。
【００６５】
〔テレビジョン受像機１００が奏する効果〕
テレビジョン受像機１００は、ノイズの発現を抑制しながら画像のコントラストを向上させることができる。
【００６６】
〔各実施の形態に含まれる構成（技術的手段）の組み合わせについて〕
上述した実施の形態に含まれる構成は、適宜組み合わせられることに注意する。すなわち、上記の実施の形態で説明したすべての構成は、当該説明に係る実施の形態のみならず、他の実施の形態においても当該構成の全部または一部を組み合わせて利用でき、それによって得られる実施の形態についても本発明の技術的範囲に含まれる。
【００６７】
〔ソフトウェアによる実現例〕
最後に、テレビジョン受像機１００の各ブロック（特に制御部１０）は、集積回路（ＩＣチップ）上に形成された論理回路によってハードウェア的に実現してもよいし、ＣＰＵを用いてソフトウェア的に実現してもよい。
【００６８】
後者の場合、テレビジョン受像機１００は、各機能を実現するプログラムの命令を実行するＣＰＵ、上記プログラムを格納したＲＯＭ（Read Only Memory）、上記プログラムを展開するＲＡＭ、上記プログラムおよび各種データを格納するメモリ等の記憶装置（記録媒体）などを備えている。そして、本発明の目的は、上述した機能を実現するソフトウェアであるテレビジョン受像機１００の制御プログラムのプログラムコード（実行形式プログラム、中間コードプログラム、ソースプログラム）をコンピュータで読み取り可能に記録した記録媒体を、テレビジョン受像機１００に供給し、そのコンピュータ（またはＣＰＵやＭＰＵ）が記録媒体に記録されているプログラムコードを読み出し実行することによっても、達成可能である。
【００６９】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【００７０】
また、テレビジョン受像機１００を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Bluetooth（登録商標）、IEEE802.11無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００７１】
このように、本明細書においては、手段とは必ずしも物理的手段を意味せず、各手段の機能がソフトウェアによって実現される場合も含む。また、１つの手段の機能が２つ以上の物理的手段により実現されてもよいし、２つ以上の手段の機能が１つの物理的手段により実現されてもよい。
【産業上の利用可能性】
【００７２】
本発明は、テレビジョン受像機、パーソナルコンピュータ、タブレット端末、スマートフォン、またはその他の電子機器などに適用できる。
【符号の説明】
【００７３】
１    量子化コード（量子化コード）
２    補正係数（補正係数）
１１    量子化コード取得部（取得手段）
１２    補正係数設定部（設定手段）
１３    表示制御部（表示手段）
３１    バックライト（バックライト）
３２    表示面（表示面）
１００    テレビジョン受像機（表示装置）
【図１】
0005502928.tif 000002
【図２】
0005502928.tif 000003
【図３】
0005502928.tif 000004
【図４】
0005502928.tif 000005